(57)【特許請求の範囲】
【請求項１】
棚板の前縁部に取り付けた固定名札差しの上面後部と棚板の前面との間に下向きの受溝を形成し、かつ前面に固定名札差しと同一構造の継ぎ足し名札差しを備えるとともに、棚板の上面とほぼ等高をなすほぼ水平の上片と、この上片の後端から連設された下向係止片を備える取付部材における前記下向係止片を、前記固定名札差しの上面後部と棚板の前面との間における下向き受溝内に嵌合することにより、固定名札差しの前方に継ぎ足し名札差しを取付け、さらに前記取付部材の前部下方に、支持片を設け、この支持片を、棚板が支持されている棚装置の前端部に設けた横向きの前杆の上面に当接させたことを特徴とする棚板における名札差し。
【請求項２】
取付部材に、固定名札差しの前面と当接する垂下片を形成したことを特徴とする請求項１記載の棚板における名札差し。
【請求項３】
取付部材の下端部に、固定名札差しの下面に当接する後向係止片を形成したことを特徴とする請求項１または２記載の棚板における名札差し。
【発明の詳細な説明】
【０００１】
【発明の属する技術分野】
本発明は、前面に、名札を保持するための固定名札差しを取り付けた棚板において、固定名札差しの前方に、この固定名札差しとは別個の継ぎ足し名札差しを取り付けてなる棚板における名札差しの取付構造に関する。
【０００２】
【従来の技術】
図７は、複数の棚板を上下に並べて支持した棚装置(01)を示す(以下の説明では、図７の左側を「前方」、右側を「後方」、紙面の奥側を「左方」、紙面の手前側を「右方」とする)。
この棚装置(01)は、４隅に立設した支柱(02)(図７では前左方の支柱のみ図示)の上下方向の数箇所を、前後方向を向く側杆(03)と左右方向を向く前杆(04)及び後杆とで結合して枠体を形成し、左右の側杆(03)の間に、ブラケット(05)を介して、棚板(06)を架設したものである。
【０００３】
棚板(06)の前面には、左右方向を向くとともに、前面が開口し、上下に対向する把持片(07)(08)の間に、棚板(06)上に陳列される商品(図示略)の商品名を記載した名札(09)を保持するための固定名札差し(010)が取付けられている。
【０００４】
【発明が解決しようとする課題】
図７に示すように、この棚装置(01)における棚板(06)の前端は、通常、前方の支柱(02)の直後で終わっているため、固定名札差し(010)は、支柱(02)や前杆(04)の前面より後退した位置にある。
そのため、顧客にとっては、名札(09)が見にくく、特に、顧客が棚装置(01)の斜め前方から名札(09)を見ようとする場合には、前方の支柱(02)により、名札(09)が隠されてしまうという不都合がある。
【０００５】
本発明は、従来の技術が有する上述のような問題点に鑑みてなされたもので、棚装置に架設された棚板の前端が、棚装置の前面より後退した位置で終わっているような場合でも、棚板の前面に取り付けた名札を外部から見易くすることができるようにした、棚板における名札差しを提供することを目的としている。
【０００６】
【課題を解決するための手段】
本発明によると、上記課題は、次のようにして解決される。
(１) 棚板の前縁部に取り付けた固定名札差しの上面後部と棚板の前面との間に下向きの受溝を形成し、かつ前面に固定名札差しと同一構造の継ぎ足し名札差しを備えるとともに、棚板の上面とほぼ等高をなすほぼ水平の上片と、この上片の後端から連設された下向係止片を備える取付部材における前記下向係止片を、前記固定名札差しの上面後部と棚板の前面との間における下向き受溝内に嵌合することにより、固定名札差しの前方に継ぎ足し名札差しを取付て、さらに前記取付部材の前部下方に、支持片を設け、この支持片を、棚板が支持されている棚装置の前端部に設けた横向きの前杆の上面に当接させる。
【０００７】
(２) 上記(１)項において、取付部材に、固定名札差しの前面と当接する垂下片を形成する。
【０００８】
(３) 上記(１)または(２)項において、取付部材の下端部に、固定名札差しの下面に当接する後向係止片を形成する。
【０００９】
【発明の実施の形態】
次に、本発明の第１の実施形態を、図１〜図３を参照しながら説明する。
【００１０】
棚装置(１)は、四隅に立設された支柱(２)同士を、左右方向を向く上下の前杆(３)(４)と後杆(５)、及び前後方向を向く側枠(６)や側杆(７)(８)によって結合してなり、左右に並ぶ支柱(２)(２)の間には、公知の手段により複数の棚板(９)(10)が架設されている。
【００１１】
本発明の第１の実施形態は、最下段の棚板(10)に対して適用されている。
【００１２】
前後に並ぶ支柱(２)の下端部同士を連結する左右の側杆(８)の内側面には、棚受ブラケット(11)(11)が取り付けられており、この棚受ブラケット(11)には、最下段の棚板(10)が支持されている。
【００１３】
図２及び図３に示すように、棚板(10)は、平面視方形をなす金属板の前後縁及び左右両側縁に、下方を向く折曲片(12)を設けたものであり、前部の折曲片(12)の前面には、左右方向を向くとともに、前面の上下方向の中央部が全幅にわたって開口する固定名札差し(13)が固着されている。
【００１４】
固定名札差し(13)における上下に対向する把持片(14)(15)の間には、細長い板状の名札(Ａ)が保持され、かつ上部の把持片(14)と棚板(10)の前面との間には、下向きの受溝(16)が形成されている。
【００１５】
棚板(10)は、その前面が、前方の支柱(２)の直後に位置するようにして棚受けブラケット(11)に支持されており、固定名札差し(13)は、前方の支柱(２)の前面よりやや後退した位置にある。
【００１６】
固定名札差し(13)の前方には、左右方向を向くとともに、前面に、固定名札差し(13)と同一構造の継ぎ足し名札差し(17)を備える取付部材(18)が取り付けられている。
取付部材(18)は、棚板(10)の上面とほぼ等高をなすほぼ水平の上片(19)と、上片(19)の前端から垂下する前片(20)とからなる左右方向に長い上部材(21)の上片(19)の下面に、側面視倒立Ｌ字形をなす複数の下部材(22)の上片(22a)を、左右方向に並べて固着したものである。
【００１７】
上部材(21)の上片(19)の後端部には、受溝(16)に嵌合しうる下向係止片(23)が連設されており、前片(20)の下端には、後向きの水平の支持片(24)が連設され、支持片(24)の後端には起立片(25)が設けられている。
下部材(22)の垂下片(26)の下端には、後向係止片(27)が連設されている。
【００１８】
下向係止片(23)を受溝(16)に嵌合し、かつ、後向係止片(27)を下部の把持片(15)の下端に係合して、上部材(21)の後端角部と下部材(22)の下端角部とを、上部の把持片(14)と下部の把持片(15)とに弾性係合させ、支持片(24)を前杆(４)の上面に当接することにより、取付部材(18)は棚板(10)の前方へ突出して取り付けられる。
【００１９】
取付部材(18)を棚板(10)から取り外すには、取付部材(18)を前上方に持ち上げて、後向係止片(27)と下部の把持片(15)との係合、及び下向係止片(23)と受溝(16)との係合を解除すればよい。
【００２０】
継ぎ足し名札差し(17)は、前方の支柱(２)の前面近くに位置するので、顧客が棚装置(１)の斜め前方に立っている場合でも、名札(Ａ)が前方の支柱によって隠されることはなく、名札(Ａ)の記載を容易に確認することができる。
【００２１】
次に、本発明の第２の実施形態を、図４〜図６を参照しながら説明する。
なお、第１の実施形態と同様の部材には同じ符号を付すに止めて、その詳細な説明は省略する。
【００２２】
この実施形態では、第１の実施形態とは異なる取付部材(30)を用いている。
取付部材(30)は、上述したと同様の上部材(21)と、上部材(21)への着脱を自在とした複数個の下部材(31)とからなっている。
【００２３】
図５及び図６に拡大して示すように、下部材(31)は、下向きの嵌合片(32)と、嵌合片(32)の上端から後向きに延出する連結片(33)と、連結片(33)の後端から垂下する垂下片(34)と、垂下片(34)の下端から後方に延出する水平片(35)とからなっている。
嵌合片(32)の両側端部(32a)は、後方に向けて若干折曲されており、嵌合片(32)を、上部材(21)の前片(20)と起立片(25)との間に形成された凹溝(36)に嵌合すると、嵌合片(32)の両側端部が凹溝(36)に弾性係合し、下部材(31)は上部材(21)に固定される。
【００２４】
上部材(21)に、複数個の下部材(31)を左右方向に並べて固定した後、下向係止片(23)を受溝(16)に嵌合するとともに、水平片(35)を、下部の把持片(15)と前杆(４)の上面との隙間に挿入し、垂下片(34)を下部の把持片(15)の前面に当接し、支持片(24)と水平片(35)とを、前杆(４)の上面に当接すれば、取付部材(30)の棚板(10)の前部への取り付けが完了する。
取付部材(30)を棚板(10)から取り外すには、取付部材(30)を前上方に持ち上げて、下向係止片(23)と受溝(16)との係合を解除すればよい。
【００２５】
このような実施形態によっても、継ぎ足し名札差し(17)は、前方の支柱(２)の前面近くに位置するので、顧客にとっては、名札(Ａ)の記載の確認が容易となる。
【００２６】
【発明の効果】
請求項１記載の発明によれば、次の効果を奏することができる。
(ａ) 固定名札差しの前面に継ぎ足し名札差しを取り付けたので、例えば、棚板が棚装置に架設され、棚板の前端が、棚装置の前面より後退した位置で終わっているような場合でも、継ぎ足し名札差しを、棚装置の前面に十分に露出させることができ、顧客にとって、名札の記載を確認するのが容易となる。
【００２７】
(ｂ) 取付部材を、固定名札差しに係合させることにより、継ぎ足し名札差しを棚板の前方に取り付けているので、継ぎ足し名札差しの着脱が容易である。
【００２８】
(ｃ)下向係止片が受溝に嵌合しているので、継ぎ足し名札差しに前向きの力が掛かっても、継ぎ足し名札差しが棚板から外れるおそれはない。
【００２９】
(ｄ)継ぎ足し名札差しに下向の力が掛かっても、その力は、支持片を介して、前杆の上面によって受けられるので、取付部材と固定名札差しの係合部に無理な力が掛かることはなく、継ぎ足し名札差しが棚板から外れるおそれがない。
【００３０】
請求項２記載の発明によれば、取付部材に後向きの力が掛かっても、その力は垂下片と固定名札差しとの係合部によって受けられるので、取付部材と固定名札差しの他の係合部に無理な力が掛かることはなく、継ぎ足し名札差しが棚板から外れるおそれはない。
【００３１】
請求項３記載の発明によれば、後向係止片が、固定名札差しの下面に当接しているので、継ぎ足し名札差しの浮き上がりを防止できる。
【図面の簡単な説明】
【図１】本発明の第１の実施形態の外観斜視図である。
【図２】同じく図１のII−II線に沿う拡大横断平面図である。
【図３】同じく図２のIII−III線に沿う拡大縦断側面図である。
【図４】同じく本発明の第２の実施形態の図３と同様の拡大縦断側面図である。
【図５】図４における下部材の下方斜視図である。
【図６】同じく底面図である。
【図７】従来例の要部の拡大縦断側面図である。
【符号の説明】
(１)棚装置
(２)支柱
(３)前杆
(４)前杆
(５)後杆
(６)側枠
(７)(８)側杆
(９)(10)棚板
(11)棚受けブラケット
(12)折曲片
(13)固定名札差し
(14)上部の把持片
(15)下部の把持片
(16)受溝
(17)継ぎ足し名札差し
(18)取付部材
(19)上片
(20)前片
(21)上部材
(22)下部材
(22a)上片
(23)下向係止片
(24)支持片
(25)起立片
(26)垂下片
(27)後向係止片
(30)取付部材
(31)下部材
(32)嵌合片
(32a)側端部
(33)連結片
(34)垂下片
(35)水平片
(36)凹溝
(Ａ)名札
【図１】
0003603242.tif 000002
【図２】
0003603242.tif 000003
【図３】
0003603242.tif 000004
【図４】
0003603242.tif 000005
【図５】
0003603242.tif 000006
【図６】
0003603242.tif 000007
【図７】
0003603242.tif 000008